(57)【要約】【課題】１種類の保持部材を厚みの異なる庇板に兼用可能な構成とすることにより、製作コストが安価かつ製品管理も煩雑とならない庇を提供する。【解決手段】庇板１の基端部は全幅にわたり保持部材２により保持される。保持部材２は、庇板１の幅に相当する長さのＬ型形状の金属枠材より成る基板３と押さえ板４とで構成される。基板３および押さえ板４は、庇板１の基端部を挟んだ状態で一体に保持するための水平板部３０，４０と、重ねられた状態で建物の外壁面に複数本のボルト５により一体に固定される垂直板部３１，４１とを備えている。基板３の垂直板部３１には、所定の間隔でボルト５の軸断面と一致する円形状のボルト通し孔３６が形成され、押さえ板４の垂直板部４１には、基板３のボルト通し孔３６と同じ位置に庇板１の厚みの変動幅に応じた縦長形状のボルト通し孔４６が形成されている。【選択図】図２
2011052386.tif 000002
【特許請求の範囲】
【請求項１】
庇板が前方へ張り出した状態で庇板の基端部が全幅にわたって保持部材により保持されて成る庇において、前記保持部材は、庇板の幅に相当する長さのＬ型形状の金属枠材より成る基板と基板上に配置される押さえ板とで構成され、基板および押さえ板は、庇板の基端部を挟んだ状態で一体に保持するための水平板部と、重ねられた状態で建物の外壁面に複数本のボルトにより一体に固定される垂直板部とをそれぞれ備えており、基板の垂直板部には、所定の間隔で前記ボルトの軸断面と一致する円形状のボルト通し孔が形成され、押さえ板の垂直板部には、前記基板のボルト通し孔と同じ位置に庇板の厚みの変動幅に応じた縦長形状のボルト通し孔が形成されて成る庇。
【請求項２】
庇板の基端部は、基板および押さえ板の各水平板部と接着剤により接合されて一体に保持されている請求項１に記載された庇。
【請求項３】
基板および押さえ板の各水平板部の板面には、接着剤が溜まる凹溝が長さ方向へ形成されるとともに、凹溝の溝底には接着剤を凹溝に充填するためのノズルを案内するガイド溝が長さ方向へ形成されている請求項２に記載された庇。
【請求項４】
基板の垂直板部の上端部には、垂直板部の内面に沿って上方へ突出する突縁部が形成されるとともに、押さえ板の垂直板部の上端部には、基板の前記突縁部が入り込む溝を有する折返部が全長にわたって形成されている請求項１に記載された庇。
【発明の詳細な説明】
【技術分野】
【０００１】
この発明は、建物の外壁面より庇板が前方へ張り出すように設けられる庇に関する。
【背景技術】
【０００２】
一般的な庇は、建物の外壁面に固定した保持部材により庇板の基端部が全幅にわたって保持された構造のものである。庇板として、全体が一枚構成のものや複数の板材を連結して構成されたものなど、種々の態様にものがあり、また、保持部材として、種々の構成のものが提案されている（例えば特許文献１参照）。
【先行技術文献】
【特許文献】
【０００３】
【特許文献１】特許第４１９２１９９号公報
【０００４】
特許文献１に記載された庇は、図９に示すように、庇板１００が複数の板材を連結して構成されたものである。保持部材１１０は、建物の外壁面に固定される背板部１１１の前面に、可撓性を有する一対の保持板部１１２，１１３が溝１１４を挟んで上下に対向するように庇板１００の全幅に対応する長さに一体形成されている。
各保持板部１１２，１１３の複数の対向する位置にボルト止め孔１１５，１１６が貫通形成されるとともに、庇板１の基端部の対応位置にボルト止め孔１１５，１１６と連通するボルト通し孔１０１が貫通形成されている。
【０００５】
各保持板部１１２，１１３により挟まれる溝１１４は、庇板１の基端部を差し込むことが可能な溝幅を有し、同図に一点鎖線で示すように、溝底から溝開口に向けて次第に広がった溝形状に形成されるとともに、溝底での溝幅を庇板１の基端部の厚みと一致させている。各保持板部１１２，１１３は、溝１１４へ庇板１を構成する各板材の基端部が差し込まれた状態で、上下に連通するボルト止め孔１１５，１１６とボルト通し孔１０１に対してボルト１２０を一連に通しかつボルト１２０の突出端にナット１２１をねじ込んで締め付ける。この締め付けにより各保持板部１１２，１１３が撓んで弾性変形して庇板１の各板材の基端部を挟持する。
【発明の概要】
【発明が解決しようとする課題】
【０００６】
上記した構成の保持部材１１０は、同じ厚みの庇板１００を対象とし、厚みの異なる庇板には兼用できない。したがって、厚みの異なる庇板が用いられた複数種の庇を製作するには、各保持板部１１２，１１３により挟まれる溝１１４の溝幅を各庇板の厚みに対応させた複数種の保持部材１１０を製作して用意する必要があり、庇の製作コストが高価となり、製品管理も煩雑となる。
【０００７】
この発明は、上記した問題に着目してなされたもので、１種類の保持部材を厚みの異なる庇板に兼用可能な構成とすることにより、製作コストが安価かつ製品管理も煩雑とならない庇を提供することを目的とする。
【課題を解決するための手段】
【０００８】
この発明による庇は、庇板が前方へ張り出した状態で庇板の基端部が全幅にわたって保持部材により保持されて成るものであり、前記保持部材は、庇板の幅に相当する長さのＬ型形状の金属枠材より成る基板と基板上に配置される押さえ板とで構成されている。基板および押さえ板は、庇板の基端部を挟んだ状態で一体に保持するための水平板部と、重ねられた状態で建物の外壁面に複数本のボルトにより一体に固定される垂直板部とをそれぞれ備えている。基板の垂直板部には、所定の間隔で前記ボルトの軸断面と一致する円形状のボルト通し孔が形成され、押さえ板の垂直板部には、前記基板のボルト通し孔と同じ位置に庇板の厚みの変動幅に応じた縦長形状のボルト通し孔が形成されている。
【０００９】
庇を組み立てるには、庇板の基端部を基板の水平板部と押さえ板の水平板部とで挟んだ状態で一体に保持した後、重ねられた状態の基板の垂直板部と押さえ板の垂直板部とを建物の外壁面にボルトにより固定する。この場合に、庇の厚みに応じて基板の垂直板部に対して押さえ板の垂直板部が上下に変位するが、押さえ板のボルト通し孔は庇板の厚みの変動幅に応じた縦長形状に形成されているので、基板のボルト通し孔に対して押さえ板のボルト通し孔が連通し、連通するボルト通し孔へボルトを通して基板および押さえ板の各垂直板部を一体に建物の外壁面に固定する。
【００１０】
この発明の上記した構成において、「庇板」は、アルミニウムの押出成型物、ガラス板、合成樹脂板、合成樹脂板の表裏両面に金属層を積層したものなど、種々の態様のものを使用することができる。
【００１１】
この発明の好ましい実施態様においては、庇板の基端部は、基板および押さえ板の各水平板部と接着剤により接合されて一体に保持されている。
この実施態様によると、基板および押さえ板の各水平板部にボルトを通す孔を形成するなどの必要がなく、加工の手数を軽減できる。また、基板の水平板部の下面にボルトやナットなどが現れないから、美観が向上し、下面をカバーなどで目隠しする必要がない。
【００１２】
上記の接着剤を用いる実施態様では、基板および押さえ板の各水平板部の板面に、接着剤が溜まる凹溝が長さ方向へ形成するとともに、凹溝の溝底に接着剤を凹溝に充填するためのノズルを案内するガイド溝を長さ方向へ形成するのが望ましい。
この実施態様によると、接着剤は基板および押さえ板の各水平板部の凹溝に溜まってはみ出ないから、接合時の仕上がり状態が良好となる。また、ノズルをガイド溝に沿って移動させつつ接着剤を吐出させるから、接着剤を凹溝内に効率よく充填できる。
【００１３】
なお、庇板の基端部を基板および押さえ板の各水平板部により挟んだ状態で一体に保持するのに、上記の接着剤に代えて、ボルトおよびナットを用いることもできる。
【００１４】
この発明の好ましい実施態様においては、基板の垂直板部の上端部には、垂直板部の内面に沿って上方へ突出する突縁部が形成されるとともに、押さえ板の垂直板部の上端部には、基板の前記突縁部が入り込む溝を有する折返部が全長にわたって形成されている。
この実施態様によると、基板の垂直板部と押さえ板の垂直板部とは上端部分で全長にわたって係合するので、押さえ板の垂直板部に庇板の荷重がかかっても、押さえ板の垂直板部が前方へ変形するのが阻止され、押さえ板の耐荷重性が高められている。
また、庇の組立時は、基板の垂直板部の突縁部と押さえ板の垂直板部の折返部とを係合させるだけで基板に対する押さえ板の位置決めを簡単に行うことができる。さらに、庇板の厚みに応じて押さえ板が上下に変位しても、基板の垂直板部の突縁部と押さえ板の垂直板部の折返部との係合の深さが変化するだけであるから、庇板の厚みが異なる全ての庇について、押さえ板の変形を阻止でき、押さえ板の位置決めを簡単に行うことができる。
【発明の効果】
【００１５】
この発明によると、厚みの異なる庇板が用いられた複数種の庇を製作するのに、厚みの異なる庇板に１種類の保持部材を兼用することができるので、厚みの異なる庇板毎に庇板の厚みに対応させた構造の複数種の保持部材を製作する必要がなく、庇の製作コストを低減でき、製品の管理も容易となる。
【図面の簡単な説明】
【００１６】
【図１】この発明の一実施例である庇の外観を示す斜視図である。
【図２】図１のＡ−Ａ線に沿う断面図である。
【図３】小さな厚みの庇が保持部材に保持された状態を示す主要部の断面図である。
【図４】大きな厚みの庇が保持部材に保持された状態を示す主要部の断面図である。
【図５】基板の水平板部に形成された凹溝およびガイド溝を示す拡大断面図である。
【図６】押さえ板の水平板部に形成された凹溝およびガイド溝を示す拡大断面図である。
【図７】基板および押さえ板の各垂直板部に形成されたボルト通し孔とボルトとの関係を示す説明図である。
【図８】他の実施例の主要部の構成を示す断面図である。
【図９】従来例の主要部の構成を示す断面図である。
【発明を実施するための形態】
【００１７】
図１は、この発明の一実施例である庇の外観を、図２は庇の構造を、それぞれ示している。図示の庇は、建物の外壁面ｈから庇板１が張り出すように設けられるもので、建物の外壁面ｈに固定された保持部材２により庇板１の基端部が全幅にわたって保持されている。保持部材２上にはカバー６が被せられ、両端には端板７，７がネジ７０により止め付けられている。
【００１８】
この実施例では、庇板１として、合成樹脂製の芯材１０の表裏両面にアルミニウムなどの金属シート材より成る表面層１１，１２が積層された積層複合材を用いているが、これに限らず、アルミニウム、ステンレスなどの金属板、合成樹脂板、ガラス板などを用いることもできる。この実施例の庇板１は、軽量であり、耐水性、耐衝撃性、遮音性、耐食性などに優れている。なお、図中、１３は庇板１の前端縁および両側縁に沿って設けられる縁枠である。
【００１９】
この実施例の保持部材２は、図３，４に示すように、厚みが異なる２種類の庇板１Ａ，１Ｂを保持することが可能な構造となっているが、これに限らず、厚みが異なる３種類以上の庇板を保持可能な構造とすることもできる。
なお、図３は、厚みがｄ１の庇板１Ａが保持部材２により保持された状態を、図４は、庇板１Ａより大きな厚みｄ２（ｄ２＞ｄ１）の庇板１Ｂが同じ保持部材２により保持されて状態を、それぞれ示している。
【００２０】
保持部材２は、基板３と、基板３上に配置される押さえ板４とから成る。図示例の基板３および押さえ板４は、庇板１の幅に相当する長さのアルミニウム製の枠材により構成されたＬ型形状のものであり、直角をなす水平板部３０，４０と垂直板部３１，４１とを一体に備えている。
【００２１】
基板３の水平板部３０は庇板１の基端部を下面より支え、押さえ板４の水平板部４０は庇板１の基端部を上面より押さえ付ける。庇板１の基端部の下面と基板３の水平板部３０の上面との間、および庇板１の基端部の上面と押さえ板４の水平板部４０の下面との間は接着剤により接合されており、庇板１の基板部は基板３および押さえ板４の各水平板部３０，４０により挟まれた状態で一体に保持されている。
【００２２】
基板３の水平板部３０の上面の前端部および後端部には、接着剤が溜まる一定幅の凹溝３２，３３が長さ方向へ全長にわたって形成されている。各凹溝３２，３３は、図５に示すように、皿状であり、一方の凹溝３２の溝底の中央には均一深さのガイド溝３４が（図５（１））、他方の凹溝３３の溝底の中央にはＶ字状のガイド溝３５が（図５（２））、ぞれぞれ長さ方向へ全長にわたって形成されている。各ガイド溝３４，３５は、凹溝３２，３３内に接着剤を充填するためのノズルｐを案内するためのものである。
【００２３】
また、押さえ板４の水平板部４０の下面の前端部および後端部にも、同様に、接着剤が溜まる一定幅の凹溝４２，４３が長さ方向へ全長にわたって形成されている。各凹溝４２，４３は、図６に示すように、皿状であり、各凹溝４２，４３の溝底の中央にはＶ字状のガイド溝４４，４５がぞれぞれ長さ方向へ全長にわたって形成されている。
【００２４】
この実施例では、押さえ板４の水平板部４０の前端部に複数のネジ８が一定間隔毎にねじ込まれている。各ネジ８は庇板１の基端部を貫通して基板３の水平板部３０の前記凹溝４２内のガイド溝４４内に達して引っ掛かっている。押さえ板４の水平板部４０の前端部には各ネジ８のねじ込み位置にあらかじめ下孔が形成され、ネジ８のねじ込みに際して、庇板１の基端部の各下孔の位置にドリルにより同様の下孔を形成する。各ネジ８は基板３の水平板部３０と押さえ板４の水平板部４０との間より庇板１が抜け出るのを阻止するためのものであるが、庇板１の基板部は基板３および押さえ板４の各水平板部３０，４０に接着剤により接合されているので、この種の抜止め手段は必ずしも必要でない。
【００２５】
基板３および押さえ板４の各垂直板部３１，４１は、前後に重ねられた状態で建物の外壁面ｈに複数本のボルト５により一体に固定される。基板３および押さえ板４の各垂直板部３１，４１には各ボルト５を通すボルト通し孔３６，４６が所定の間隔で開設されている。各ボルト通し孔３６，４６は、基板３および押さえ板４の各垂直板部３１，４１が前後に重ねられた状態のとき、互いに連通するように幅方向の同じ位置に形成されている。基板３の各ボルト通し孔３６は、図７に示すように、ボルト５の軸断面と一致する円形状に形成されている。一方、押さえ板４のボルト通し孔４６は、庇板１の厚みの変動幅（ｄ２−ｄ１）に応じた縦長形状の長円形に形成されている。
【００２６】
図７（１）は、小さな厚みｄ１の庇板１Ａが保持部材２により保持されたときのボルト通し孔４６に対するボルト５の位置を示しており、ボルト５はボルト通し孔４６の上端側を位置している。
図７（２）は、大きな厚みｄ２の庇板１Ｂが保持部材２により保持されたときのボルト通し孔４６に対するボルト５の位置を示しており、ボルト５はボルト通し孔４６の下端側を位置している。
【００２７】
基板３の垂直板部３１の上端部には上方へ突出する突縁部３７が形成され、一方、押さえ板４の垂直板部４１の上端部には折返部４７が全長にわたって形成されている。
前記の突縁部３７は、基板３の垂直板部３１の厚みより小さな厚みであり、垂直板部３１の内面に沿って突出している。突縁部３７の突出長さは庇板１の厚みの変動幅（ｄ２−ｄ１）より大きな値に設定される。
前記の折返部４７と押さえ板４の垂直板部４１の上端部との間には基板３の突縁部３７が入り込んで係合する溝４８が形成されている。この溝４８の深さは突縁部３７の突出長さと一致させている。
【００２８】
小さな厚みｄ１の庇板１Ａが保持部材２により保持された状態（図３に示す状態）のとき、基板３の突縁３７は押さえ板４の溝４８に深く入り込んだ状態で係合する。一方、大きな厚みｄ２の庇板１Ｂが保持部材２により保持された状態（図４に示す状態）のとき、基板３の突縁３７は押さえ板４の溝４８に浅く入り込んだ状態で係合する。
【００２９】
押さえ板４の水平板部４０の上面と垂直板部４１の上端部とには、カバー６の内側に形成された係合突部６１ａ，６１ｂと係合する鉤状部４９ａ，４９ｂが形成されている。カバー６は、保持部材２と同じ長さを有し、後端縁が押さえ板４の垂直板部４１の上端部まで達し、前端部が押さえ板４の水平板部４０の前端面に被さっているので、押さえ板４の全体がカバー６によって覆われる。
なお、図中、７１，７２は両側の端板７，７を止着するためのネジ７０がねじ込まれる孔である。
【００３０】
なお、上記の実施例では、保持部材２により庇板１の基端部を保持するのに、庇板１の基端部と基板３および押さえ板４の各水平板部３０，４０とを接着剤により一体に接合しているが、図８に示すように、庇板１の基端部と基板３および押さえ板４の各水平板部３０，４０とをボルト９おびナット９０により一体に接合してもよい。
【００３１】
庇を組み立てるには、庇板１の基端部を基板３の水平板部３０と押さえ板４の水平板部４０とで挟んだ状態で一体に保持した後、重ねられた状態の基板３の垂直板部３１と押さえ板４の垂直板部４１とを建物の外壁面ｈにボルト５により固定する。この場合に、庇板１の厚みに応じて基板３の垂直板部３１に対して押さえ板４の垂直板部４１が上下に変位するが、押さえ板４のボルト通し孔４６は庇板１の厚みの変動幅に応じた縦長形状の長円形に形成されているので、基板３のボルト通し孔３６に対して押さえ板４のボルト通し孔４６が連通し、この連通するボルト通し孔３６，４６へボルト５を通して基板３および押さえ板４の各垂直板部３１，４１を一体に建物の外壁面ｈに固定する。
【００３２】
基板３の垂直板部３１に押さえ板４の垂直板部４１を重ねるとき、基板３の垂直板部３１の突縁部３７と押さえ板４の垂直板部４１の折返部４７とを係合させるだけで、基板３に対する押さえ板４の位置決めが行われる。
このように、基板３の垂直板部３１と押さえ板４の垂直板部４１とは上端部分において全長にわたり係合させるので、押さえ板３の垂直板部３１に庇板１の荷重がかかっても、押さえ板４の垂直板部４１が前方へ変形するのが阻止される。
【００３３】
また、庇板１の厚みに応じて押さえ板４が上下に変位しても、基板３の垂直板部３１の突縁部３７と押さえ板４の垂直板部４１の折返部４７との係合深さが変化するだけであるから、庇板１の厚みが異なる全ての庇について、押さえ板４の変形を阻止でき、押さえ板４の位置決めが簡単に行える。
【符号の説明】
【００３４】
１，１Ａ，１Ｂ  庇板
２    保持部材
３    基板
４    押さえ板
５    ボルト
３０，４０  水平板部
３１，４１  垂直板部
３２，３３，４２，４３  凹溝
３４，３５，４４，４５  ガイド溝
３６，４６  ボルト通し孔
３７  突縁部
４７  折返部
４８  溝
【図１】
2011052386.tif 000003
【図２】
2011052386.tif 000004
【図３】
2011052386.tif 000005
【図４】
2011052386.tif 000006
【図５】
2011052386.tif 000007
【図６】
2011052386.tif 000008
【図７】
2011052386.tif 000009
【図８】
2011052386.tif 000010
【図９】
2011052386.tif 000011